(57)【要約】      （修正有）【課題】園芸用ネツトの紐を固定するのに固く括り付けても蔓の重みに耐えることが出来ず緩んだりするので紐に沿わして棹を固定する場合に、支柱に受け止める物が無いため紐や棹を強固に固定が出来ない問題点を解決した園芸用支柱装置を提供する。【解決手段】棒状の支柱の先端から挿入されて前記支柱の先端部に取り付けられる少なくとも上面が平面状の園芸品受け手段３とからなる園芸支柱装置であって、前記園芸品受け手段には前記支柱が挿入される第一の開口部４と、園芸品５が載置される幅広の載置部６と、前記園芸品を前記園芸品受け手段に保持する保持手段７を挿入して前記園芸品受け部に保持する少なくとも１個の第二の開口部８が形成することで、課題を解決した。【選択図】図１
0003233831.tif 000002
【実用新案登録請求の範囲】
【請求項１】
棒状の支柱の先端から挿入されて前記支柱の先端部に取り付けられる少なくとも上面が平面状の園芸品受け手段とからなる園芸支柱装置であって、前記園芸品受け手段には前記支柱が挿入される第一の開口部と、園芸品が載置される幅広の載置部と、前記園芸品を前記園芸品受け手段に保持する保持手段を挿入して前記園芸品受け部に保持する少なくとも１個の第二の開口部が形成されていることを特徴とする園芸支柱装置。
【請求項２】
前記支柱の下部に木槌などで叩いて前記支柱を地面に埋め込む叩き部を形成した請求項１に記載の園芸支柱装置。
【考案の詳細な説明】
【技術分野】
【０００１】  本考案は、園芸支柱装置に関するものである。
【背景技術】
【０００２】  従来より、家庭園芸などの園芸が行われており特許文献１に示すような園芸支柱も考案されている。
園芸用ネツトの紐を固定するのに固く括り付けても蔓の重みに耐えることが出来ず緩んだりするので紐に沿わして棹を固定する方法を多くの人が利用をしているが支柱に受け止める物が無いため紐や棹を強固に固定が出来ない問題点があつた。
また、園芸支柱を立てるのにも踏み台を作り支柱の頭を叩き込むのにも足場が不安定で作業がやりにくいという問題もあつた。
【先行技術文献】
【特許文献】
【０００３】
【特許文献１】特開２０１６−１５８５５３号公報
【考案の概要】
【考案が解決しようとする課題】
【０００４】  本考案は、上記問題点を解消するためになされたものであり、園芸に使用される棹やネットのような園芸品を園芸用支柱に強固に固定ができる園芸支柱装置を提供することにある。
【課題を解決するための手段】
【０００５】上記課題を解決するために、本考案の園芸支柱装置は、棒状の支柱の先端から挿入されて前記支柱の先端部に取り付けられる少なくとも上面が平面状の園芸品受け手段とからなる園芸支柱装置であって、前記園芸品受け手段には前記支柱が挿入される第一の開口部と、園芸品が載置される幅広の載置部と、前記園芸品を前記園芸品受け手段に保持する保持手段を挿入して前記園芸品受け部に保持する少なくとも１個第二の開口部が形成されていることを特徴とする。
又、本考案の園芸支柱装置にあっては、前記支柱の下部に木槌などで叩いて前記支柱を地面に埋め込む叩き部を形成したのが望ましい。
【考案の効果】
【０００６】本考案の園芸支柱装置は、棒状の支柱の先端から挿入されて前記支柱の先端部に取り付けられる少なくとも上面が平面状の園芸品受け手段とからなる園芸支柱装置であって、前記園芸品受け手段には前記支柱が挿入される第一の開口部と、園芸品が載置される幅広の載置部と、前記園芸品を前記園芸品受け手段に保持する保持手段を挿入して前記園芸品受け部に保持する少なくとも１個第二の開口部が形成されていることを特徴とするものであるから、園芸に使用される棹やネットのような園芸品を園芸用支柱に強固に固定ができるという効果がある。
又、請求項２のように、前記支柱の下部に木槌などで叩いて前記支柱を地面に埋め込む叩き部を形成したものは、支柱を簡単かつ安全に立て易いという効果がある。
【図面の簡単な説明】
【０００７】
【図１】図１は、本考案の園芸支柱装置を支柱に装着した正面図。
【図２】図２は、同上の園芸支柱装置の平面図。
【図３】図３は、同上の園芸支柱装置の使用状態を説明する平面図。
【考案を実施するための形態】
【０００８】  以下、本考案の実施の形態を図１乃至図３を参照して説明すると、園芸支柱装置１は、棒状の支柱２の先端から挿入されて前記支柱２の先端部に取り付けられる少なくとも上面が平面状の園芸品受け手段３とからなる園芸支柱装置であって、前記園芸品受け手段３には前記支柱２が挿入される第一の開口部４と、園芸品５が載置される幅広の載置部６と、前記園芸品５を前記園芸品受け手段３に保持する保持手段７を挿入して前記園芸品受け手段３に保持する少なくとも１個第二の開口部８が形成されている。
【０００９】  支柱２は、合成樹脂材や鉄・ステンレス・アルミニウム合金などの金属でできたパイプ９と、パイプ９の外周を被覆する合成樹脂材のカバー１０でできており、下端部は先細りのテーパー形状になっている。上端部は栓で閉塞されており、雨水の浸入が防止されている。支柱２の外周には上面が平面で下方に行くに従い高さが低くなる楔形状の突起１１が多数形成されている。
【００１０】  支柱２の下部に木槌などで叩いて支柱２を地面に埋め込む叩き部１２を形成している。埋め込む叩き部１２は、支柱２の下端から３０センチメートルの位置に形成されているが、支柱２と一体的であっても別体であって構わないものである。叩き部１２を設けることのより２メートルの支柱の使用が可能となるものである。
【００１１】  支柱２に取り付けられる園芸品受け手段３が支柱２から抜けたり、園芸品受け手段３ががたつくのを阻止する阻止手段１３が設けられている。
【００１２】  突起１１は支柱２の上端部には園芸品受け手段３及び阻止手段１３が支柱２に挿入する際に邪魔にならないように支柱２の上端部には設けていない。
【００１３】  園芸品受け手段３は、合成樹脂材で平板状に形成されており、支柱２が挿入される第一の開口部１２と、棹やネット等の園芸品５が載置される幅広の載置部６と、園芸品５を園芸品受け手段３に保持手段７を保持する第二の開口部８が形成されている。実施例においては、第二の開口部８を４個形成したが１個以上形成されていれば良いものである。第二の開口部８は幅が６センチメートル、奥行きが５センチメートルで４個形成されている。
支柱２の先端から５センチメートル下がった位置に固定されるようになっており、紐を結ぶためと棹を強固に固定できるように厚さ１センチメートルで構成されている。載置部６は棹が固定される面積と棹を固定するための４か所の第二の開口部８が形成されており、４か所の第二の開口部８を使用して棹を針金や紐、結束バンドを使用して棹を容易に取付けることが出来るものである。
【００１４】  阻止手段１３は、支柱２に挿入されて園芸品受け手段３が支柱２から抜けるのを阻止するものであるが、合成樹脂材又は金属材でリング状に形成されている。阻止手段１３を支柱２に挿入した後、阻止手段１３にビニールテープを巻くことで園芸品受け手段を支柱２から抜けるのを完全に防止できるものであるが、テープだけで抜けを阻止しても構わないものである。。
【符号の説明】
【００１５】  １      園芸支柱装置
２      支柱
３      園芸品受け手段
４      第一の開口部
５      園芸品
６      載置部
７      保持手段
８      第二の開口部
１２      叩き部
【図１】
0003233831.tif 000003
【図２】
0003233831.tif 000004
【図３】
0003233831.tif 000005